(57)【要約】【課題】既存建築物の修復・復元作業を容易にするための既存建築物修復・復元管理システムを提供する。【解決手段】既存建築物の解体時などに，各建築部材４の情報である建築部材情報と，建築物全体の情報である建築物情報とを既存建築物修復・復元管理装置１に入力する。また，各建築部材４に唯一のタグＩＤをＩＣタグ３に書き込み，各建築部材４に取り付ける。それらの情報は，データベース化されて一元的に管理される。既存建築物の修復・復元作業時などに，既存建築物修復・復元管理装置１は，建築部材４に取り付けられたＩＣタグ３からタグＩＤを取得し，建築部材４の建築部材情報や建築物情報を記憶するデータベースから該当する情報を取得する。取得された建築部材情報や建築物情報は関連付けられ，作業者が理解しやすい形式で表示される。【選択図】  図１
2007086836.tif 000002
【特許請求の範囲】
【請求項１】
既存建築物の修復・復元作業を支援するための既存建築物修復・復元管理システムであって，
前記既存建築物に使用されている建築部材ごとの情報である建築部材情報を入力する手段と，
前記既存建築物全体の情報である建築物情報を入力する手段と，
前記既存建築物に使用されている建築部材を一意に識別するための識別情報を発行する手段と，
前記入力された建築部材ごとの情報である建築部材情報と前記入力された既存建築物全体に関する情報である建築物情報とを，前記識別情報と関連付けて一元的に情報記憶手段に記録し管理する手段と，
前記発行された識別情報を，前記既存建築物に使用されている建築部材に取り付けるＩＣタグに記録する手段とを備える
ことを特徴とする既存建築物修復・復元管理システム。
【請求項２】
既存建築物の修復・復元作業を支援するための既存建築物修復・復元管理システムであって，
前記既存建築物に使用されている建築部材ごとの情報である建築部材情報と，前記既存建築物全体の情報である建築物情報とを一元的に情報記憶手段に記録し管理する手段と，
前記既存建築物に使用されている建築部材に取り付けられたＩＣタグから，当該建築部材を一意に識別するための識別情報を取得する手段と，
前記情報記憶手段から，前記取得された識別情報に該当する建築部材に関する建築部材情報と前記建築物情報とを取得する手段と，
前記取得された建築部材情報と建築物情報とを関連付けて表示する手段とを備える
ことを特徴とする既存建築物修復・復元管理システム。
【請求項３】
請求項１または請求項２に記載の既存建築物修復・復元管理システムにおいて，
前記ＩＣタグは，前記識別情報で識別される建築部材の前記建築部材情報または前記建築物情報の一部を格納する
ことを特徴とする既存建築物修復・復元管理システム。
【請求項４】
請求項１ないし請求項３のいずれか一項に記載の既存建築物修復・復元管理システムにおいて，
前記ＩＣタグは，無線通信が可能な無線ＩＣタグである
ことを特徴とする既存建築物修復・復元管理システム。
【発明の詳細な説明】
【技術分野】
【０００１】
本発明は，既存建築物の修復・復元作業を支援する技術に関するものであり，特に，解体された既存建築物のすべての建築部材を一元的に管理し，解体された既存建築物の修復・復元作業が容易となる既存建築物修復・復元管理システムに関するものである。
【背景技術】
【０００２】
従来から，神社や仏閣などの既存建築物を解体し，解体された建築部材を用いて建築物を修復・復元することが行われている。このとき，解体された既存建築物の建築部材は，その復元時に正確な位置に復元されなければならない。従来は，解体された既存建築物の建築部材に簡易な印などを取り付けて管理し，作業者が自らの技術や経験などによって修復・復元作業を行っていた。
【０００３】
なお，建築用・住宅用部材をＩＣタグで管理する技術がある（例えば，特許文献１参照）。特許文献１の方法では，建築用または住宅用部材に，用途，材料名，構成，主成分，寸法，等級，認証および認証月日，製造メーカー名，製造番号，流通・デリバリルート，在庫履歴，施主名，建築予定月日および工期予定，建築物・住宅などの解体時やリサイクルの分別収集に関する情報などが記録されたＩＣタグを取り付けて管理している。
【特許文献１】特開２００４−３７９０２号公報
【発明の開示】
【発明が解決しようとする課題】
【０００４】
従来は，解体された既存建築物の建築部材についての構成情報（建築部材の材質，位置，形状など）が少ないため，修復・復元作業は困難で時間がかかるものであった。
【０００５】
特許文献１では，建築用または住宅用の部材に構成情報が記録されたＩＣタグを取り付けて管理しているが，これは，工業的に製造された建築部材に対してＩＤタグを取り付ける技術である。特許文献１の技術は，同じ種類の建築部材が工業的に複数製造され，同じ種類の建築部材のＩＣタグにはほぼ同じ内容の構成情報が記録され，同じ種類の部品は同じものとして管理される。
【０００６】
これに対して，神社や仏閣などの既存建築物を解体し，解体された建築部材を用いて建築物を修復・復元する場合には，解体された既存建築物をほぼ完全にもとの形に復元しなくてはならないので，同じ使用目的の建築部材が複数存在しても，１つ１つの建築部材を唯一の建築部材として扱う必要がある。また，どの建築部材同士をどのように組み合わせるかなどを容易に認識できるようにするため，複数の建築部材を一元的に管理する必要がある。
【０００７】
特許文献１では，複数の建築部材を一元的に管理することを目的とせず，個々の建築部材の管理のみを目的としている。また，特許文献１では，１つ１つの建築部材を唯一の建築部材として扱っていない。そのため，特許文献１の技術では，構成情報が存在してはいるが，その構成情報を解体された既存建築物の修復・復元作業に役立てることができない。
【０００８】
本発明は，上記の問題点の解決を図り，解体された既存建築物の建築部材を一元的に管理し，解体された既存建築物の修復・復元作業が容易となる既存建築物修復・復元管理システムを提供することを目的とする。
【課題を解決するための手段】
【０００９】
本発明は，上記の課題を解決するため，各建築部材にそれぞれを一意に識別する情報を記録したＩＣタグを取り付け，さらに各建築部材の情報をデータベースで一元的に管理することを特徴とする。
【００１０】
各建築部材の情報を参照する場合には，各建築部材を一意に識別する情報でデータベースを検索する。このとき，各建築部材の情報はデータベースで一元的に管理されているので，参照を行った建築部材の建築物全体における位置や，他の建築部材との接合方法などの情報を容易に知ることができる。
【００１１】
具体的には，本発明は，既存建築物の修復・復元作業を支援するための既存建築物修復・復元管理システムであって，既存建築物に使用されている建築部材ごとの情報である建築部材情報を入力する手段と，既存建築物全体に関する情報である建築物情報を入力する手段と，入力された建築部材ごとの建築部材情報と入力された建築物情報とを一元的に記録管理する手段と，既存建築物に使用されている建築部材を一意に識別するための識別情報を発行する手段と，発行された識別情報を既存建築物に使用されている建築部材に取り付けるＩＣタグに記録する手段とを備えることを特徴とする。
【００１２】
これによって，各建築部材にそれぞれを一意に識別する情報を記録したＩＣタグを取り付け，さらに各建築部材の情報および建物全体の情報をデータベースで一元的に管理することが可能となる。
【００１３】
また，本発明は，既存建築物の修復・復元作業を支援するための既存建築物修復・復元管理システムであって，既存建築物に使用されている建築部材ごとの情報である建築部材情報と既存建築物全体の情報である建築物情報とを一元的に記録管理する手段と，既存建築物に使用されている建築部材に取り付けられたＩＣタグから，その建築部材を一意に識別するための識別情報を取得する手段と，取得された識別情報に該当する建築部材に関する建築部材情報と建築物情報とを取得する手段と，取得された建築部材情報と建築物情報とを関連付けて表示する手段とを備えることを特徴とする。
【００１４】
これによって，各建築部材を容易に識別することが可能となり，また各建築部材の情報を建築物全体の情報と関連付けて知ることが可能となるので，解体された既存建築物の修復・復元作業が容易となる。
【００１５】
また，上記の既存建築物修復・復元管理システムにおいて，建築部材に取り付けられたＩＣタグは，無線通信が可能な無線ＩＣタグであることを特徴とする。これによって，離れていたり隠れていたりするＩＣタグからも，容易に情報が読み取れるようになる。
【発明の効果】
【００１６】
本発明によって，解体された既存建築物の各建築部材を１つ１つ唯一の建築部材として扱い，それらの建築部材をすべてデータベースで一元的に管理するため，解体された既存建築物の修復・復元作業において建築部材の確認などが容易となる。そのため，自然災害などが発生して緊急の復旧作業が必要となった場合でも，修復・復旧作業などを迅速に行うことが可能となる。
【発明を実施するための最良の形態】
【００１７】
以下，本発明の実施の形態について，図を用いて説明する。
【００１８】
図１は，本発明の原理を説明する図である。既存建築物の修復・復元管理システムは，コンピュータ装置等による既存建築物修復・復元管理装置１，ＩＣタグリーダ・ライタ２，ＩＣタグ３からなる。
【００１９】
図１（Ａ）は，既存建築物の解体時などにおける各情報の登録を説明するための図である。
【００２０】
作業者は，既存建築物の解体時に，既存建築物を構成する各建築部材４の材質，位置（座標），形状などの構成情報（以下，建築部材情報という）と，既存建築物の外観，設計図などの建築物全体の情報（以下，建築物情報という）とを既存建築物修復・復元管理装置１に入力する。入力された情報は，データベース化されて一元的に管理される。
【００２１】
さらに，既存建築物修復・復元管理装置１は，建築部材４ごとに，一意に識別するための識別情報であるタグＩＤを格納したＩＣタグ３を発行する。
【００２２】
発行されたタグＩＤは，その他の付加情報（その建築部材４の材質，状態，古さ，修復年月など）とともに，ＩＣタグリーダ・ライタ２によってＩＣタグ３に書き込まれる。タグＩＤ等の情報が書き込まれたＩＣタグ３は，そのタグＩＤに対応する建築部材４に取り付けられる。
【００２３】
図１（Ｂ）は，既存建築物の修復・復元時などにおける各情報の参照を説明するための図である。既存建築物の修復・復元時などに，作業者が建築部材４に取り付けられたＩＣタグ３にＩＣタグリーダ・ライタ２をかざすと，既存建築物修復・復元管理装置１は，そのＩＣタグ３に記録されたタグＩＤなどの情報を読み込む。既存建築物修復・復元管理装置１は，取得したタグＩＤなどの情報を元に，既存建築物の解体時などに作成されたデータベースを検索し，必要な建築部材情報や建築物情報を取得する。
【００２４】
既存建築物修復・復元管理装置１のディスプレイ等の表示部には，取得された情報から作成された建築部材４や建築物に関する様々な画面が表示される。例えば，取得された建築部材４に関する情報を例にとると，その建築部材４の３次元図や，建築物全体の３次元図などが表示され，その建築部材４が建築物全体のどの位置に設置されるかなどが表示される。また，近接する他の建築部材４との接合方法や取り付け位置（座標）などが表示される。
【００２５】
図２は，本発明の実施の形態による既存建築物修復・復元管理装置１の構成例を示す図である。既存建築物修復・復元管理装置１は，ＩＣタグ３への情報の書き込みやＩＣタグ３からの情報の読み取りを行うＩＣタグリーダ・ライタ２に接続される。既存建築物修復・復元管理装置１は，ＩＣタグリーダ・ライタ制御部１０，登録部２０，参照部３０，データベース４０を備える。
【００２６】
ＩＣタグリーダ・ライタ制御部１０は，ＩＣタグリーダ・ライタ２を制御し，ＩＣタグ３への情報の書き込みや，ＩＣタグ３からの情報の読み取りを行う。
【００２７】
登録部２０は，建築部材情報や建築物情報などの登録を行う手段である。登録部２０は，建築部材情報表示・入力部２１，建築物情報表示・入力部２２，設計図情報取得部２３，建築部材情報登録・更新部２４，建築物情報登録・更新部２５，ＩＣタグ情報発行部２６を備える。
【００２８】
建築部材情報表示・入力部２１は，建築部材４ごとの建築部材情報を入力する処理手段である。建築部材情報として，建築部材４の材質，形状，寸法，建築物における位置（座標）などの建築部材に関する情報が入力される。
【００２９】
建築物情報表示・入力部２２は，既存建築物の建築物情報を入力するための処理手段である。建築物情報として，建築部材４が使用されている既存建築物の概観など，既存建築物に関する情報が入力される。
【００３０】
ここでは，建築部材情報や建築物情報の入力はツール化されており，既存建築物修復・復元管理装置１のディスプレイなどの表示部に表示された指示に従って各情報の入力が可能となっている。
【００３１】
設計図情報取得部２３は，設計図情報を取得する処理手段である。設計図情報取得部２３は，例えば，建築ＣＡＤなどのツールであり，建築部材情報表示・入力部２１，建築物情報表示・入力部２２の入力の支援を行う。
【００３２】
建築部材情報登録・更新部２４は，建築部材情報表示・入力部２１による入力に従って，データベース４０への建築部材情報の登録や，データベース４０の建築部材情報の更新を行う手段である。
【００３３】
建築物情報登録・更新部２５は，建築物情報表示・入力部２２による入力に従って，データベース４０への建築物情報の登録や，データベース４０の建築物情報の更新を行う手段である。
【００３４】
ＩＣタグ情報発行部２６は，ＩＣタグ３に記録する情報（以下，ＩＣタグ情報という）をデータベース４０から取得し，発行する手段である。
【００３５】
ＩＣタグ情報には，少なくともそのＩＣタグ情報が記録されたＩＣタグ３を特定するための識別情報であるタグＩＤが含まれる。また，ＩＣタグ情報に，そのＩＣタグ３が取り付けられた建築部材４の材質，状態，古さ，修復年月など，簡易な表示装置で参照することが可能な付加情報が含まれていてもよい。
【００３６】
参照部３０は，建築部材４や建築物に関する情報を参照するための手段である。参照部３０は，建築部材情報・建築物情報検索部３１，表示画面構成イメージ作成部３２，建築部材情報・建築物情報表示部３３を備える。
【００３７】
建築部材情報・建築物情報検索部３１は，ＩＣタグリーダ・ライタ２での情報読み取り処理によって取得したＩＣタグ３のタグＩＤをもとにデータベース４０を検索し，そのＩＣタグ３が取り付けられた建築部材４に関する建築部材情報，建築物全体の建築物情報などを取得する処理手段である。
【００３８】
表示画面構成イメージ作成部３２は，建築部材４や建築物に関する情報を視覚的に理解しやすい形で表示するために，取得された建築部材情報や建築物情報をもとに，表示画面の構成を行う処理手段である。
【００３９】
建築部材情報・建築物情報表示部３３は，表示画面構成イメージ作成部３２によって作成された建築部材４や建築物に関する情報の表示画面構成イメージを，ディスプレイ等に表示する処理手段である。
【００４０】
図３は，本実施の形態における情報参照時の表示画面構成イメージの例を示す図である。図３のような表示画面構成イメージ３００が，表示画面構成イメージ作成部３２によって作成され，建築部材情報・建築物情報表示部３３によって表示される。
【００４１】
図３の例において，表示画面構成イメージ３００の左上部分３０１に，今回参照している建築部材４が３次元表示される。表示画面構成イメージ３００の左下部分３０２には，今回参照している建築部材４の材質，位置（座標），形状等の属性情報が表示される。
【００４２】
表示画面構成イメージ３００の右上部分３０３には，既存建築物の全体図が３次元表示され，その中で今回参照している建築部材４がどの位置に配置されるかが示される。表示画面構成イメージ３００の右下部分３０４には，他の建築部材との接合方法や取り付け位置などの今回参照している建築部材４の組み立てに必要な情報が表示される。
【００４３】
データベース４０は，既存建築物を構成するすべての建築部材４に関する情報や，既存建築物の全体像の情報など，既存建築物の修復・復元に必要となるすべての情報を一元的に記憶および管理する処理手段である。データベース４０は，ＩＣタグマスタ４１，建築部材情報マスタ４２，建築物情報マスタ４３を備える。
【００４４】
図４は，本実施の形態におけるデータ構造の例を示す図である。図４（Ａ）にはＩＣタグマスタ４１のデータ構造の例を示し，図４（Ｂ）には建築部材情報マスタ４２のデータ構造の例を示し，図４（Ｃ）には建築物情報マスタ４３のデータ構造の例を示す。
【００４５】
ＩＣタグマスタ４１は，各建築部材４に取り付けられるＩＣタグ３にそれぞれ記録されたＩＣタグ情報を管理する。ＩＣタグマスタ４１は，図４（Ａ）に示すように，タグＩＤなどの照合情報と，その建築部材４の材質，状態，古さ，修復年月などの付加情報とから構成される。照合情報は，各建築部材４を一意に識別するための情報である。付加情報は，簡易な表示装置（例えば，小型の表示装置がついたＩＣタグリーダ・ライタ２など）で参照できるように，ＩＣタグ３に記録される情報である。ＩＣタグ３の容量が大きい場合などには，さらにその建築部材４がどの位置で使用されるかなどの多くの情報を，ＩＣタグ３に付加情報として記録してもよい。
【００４６】
建築部材情報マスタ４２は，各建築部材４に関する個々の情報を管理する。建築部材情報マスタ４２には，図４（Ｂ）に示すように，タグＩＤなどの照合情報と，建築部材の材質，位置（座標），形状（角材，板など），組み立て時に必要となる情報などの部材属性情報と，建築部材の寸法などの部材設計図情報とから構成される建築部材情報が記憶される。照合情報は，ＩＣタグマスタ４１の照合情報に対応する。組み立て時に必要となる情報としては，例えば，近接する他の建築部材４を特定する情報（その建築部材４のタグＩＤなど）や，他の建築部材４との接合方法，接合位置などの情報がある。
【００４７】
建築物情報マスタ４３は，既存建築物全体の情報を管理する。建築物情報マスタ４３には，図４（Ｃ）に示すように，建築物の名称，形状（校倉造など），年代などの建築物属性情報と，建築物の全体図などの建築物設計図情報とから構成される建築物情報が記憶される。建築物属性情報には，ＩＣタグを取り付けることができない建築部材４（土壁，小さな建築部材４など）に関する情報も含まれている。建築物設計図情報は，建築物の３次元表示や，各建築部材４の建築物全体における位置を示すために必要となる情報である。
【００４８】
なお，以上のデータベース４０に登録される情報は，必要であれば写真などの画像情報を含むものであってもよい。例えば，建築部材４同士の接合部分の情報などは，接合された部分の写真である方が，作業者にとってわかりやすい場合がある。
【００４９】
図５は，本実施の形態の登録処理フローチャートである。登録処理は，例えば既存建築物の解体時に行われる。まず，既存建築物修復・復元管理装置１の建築物情報表示・入力部２２は，作業者から建築物情報の入力を受けると（ステップＳ１０），建築物情報登録・更新部２５は，それらの情報を建築物情報マスタ４３としてデータベース４０に登録する（ステップＳ１１）。
【００５０】
次に，建築部材情報表示・入力部２１は，ある建築部材４の建築部材情報の入力を受けると（ステップＳ１２），ＩＣタグ情報発行部２６は，その建築部材４に対して唯一のタグＩＤを発行する（ステップＳ１３）。
【００５１】
また，建築部材情報登録・更新部２４は，発行されたタグＩＤをＩＣタグマスタ４１に登録し，入力された建築部材情報を，データベース４０の建築部材情報マスタ４２に登録する（ステップＳ１４）。また，建築物情報登録・更新部２５は，データベース４０の建築物情報マスタ４３の更新が必要となる部分（例えば，建築部材４の建築物全体における位置の情報など）を更新する（ステップＳ１５）。
【００５２】
ＩＣタグリーダ・ライタ制御部１０は，ＩＣタグ情報（発行されたＩＤと付加情報）をＩＣタグマスタ４１から抽出し，抽出されたＩＣタグ情報をその建築部材４に取り付けるＩＣタグ３に記録する（ステップＳ１６）。ＩＣタグ情報の付加情報は，建築部材情報マスタ４２および建築物情報マスタ４３に記憶された情報の一部を抽出して生成される。
【００５３】
ここで，ＩＣタグ情報が記録されたＩＣタグ３は，該当する建築部材４に取り付けられる。
【００５４】
ステップＳ１２からステップＳ１６までの処理をすべての建築部材４について繰り返し実行し（ステップＳ１７），処理を終了する。
【００５５】
図６は，本実施の形態の参照処理フローチャートである。参照処理は，例えば，既存建築物の修復・復元作業時に行われる。まず，作業者が情報を参照したい建築部材４のＩＣタグ３にＩＣタグリーダ・ライタ２をかざして，ＩＣタグ３からタグＩＤを取得すると（ステップＳ２０），既存建築物修復・復元管理装置１の建築部材情報・建築物情報検索部３１は，ＩＣタグリーダ・ライタ制御部１０を介して取得したタグＩＤを用いてデータベース４０を検索し，該当する建築部材４に関する建築部材情報を取得する（ステップＳ２１）。また，データベース４０を検索し，建築物全体の情報である建築物情報を取得する（ステップＳ２２）。
【００５６】
次に，表示画面構成イメージ作成部３２は，取得された建築部材情報と建築物情報とから，作業者が理解しやすい形式で情報を表示画面に出力するための表示画面構成イメージを作成する（ステップＳ２３）。そして，建築部材情報・建築物情報表示部３３は，作成された表示画面構成イメージを，ディスプレイ等の表示装置に表示する（ステップＳ２４）。
【００５７】
以上，本発明の実施の形態について説明したが，本発明はこの実施の形態に限るものではない。例えば，ＩＣタグ３として無線ＩＣタグを用い，建築部材４から少し離れたところでもタグＩＤを取得できるようにしてもよい。これによって，例えば，既存建築物の復元中にすでに高い位置に取り付けられた建築部材４のように，ＩＣタグリーダ・ライタ２をＩＣタグ３に近づけることが難しい建築部材４でも，容易に情報が読み取れるようになる。
【００５８】
また，データベース４０で記録管理される情報を共通に使用することが可能であれば，登録部２０と参照部３０とが，それぞれ別々の装置として実現されていても構わない。
【００５９】
なお，データベース４０で一元的に管理された情報を記録保存しておけば，次回以降の修復・復元作業時にもそれらの情報を再利用することができる。
【図面の簡単な説明】
【００６０】
【図１】本発明の原理を説明する図である。
【図２】本発明の実施の形態による既存建築物修復・復元管理装置の構成例を示す図である。
【図３】本実施の形態における情報参照時の表示画面構成イメージの例を示す図である。
【図４】本実施の形態におけるデータ構造の例を示す図である。
【図５】本実施の形態の登録処理フローチャートである。
【図６】本実施の形態の参照処理フローチャートである。
【符号の説明】
【００６１】
１  既存建築物修復・復元管理装置
２  ＩＣタグリーダ・ライタ
３  ＩＣタグ
４  建築部材
１０  ＩＣタグリーダ・ライタ制御部
２０  登録部
２１  建築部材情報表示・入力部
２２  建築物情報表示・入力部
２３  設計図情報取得部
２４  建築部材情報登録・更新部
２５  建築物情報登録・更新部
２６  ＩＣタグ情報発行部
３０  参照部
３１  建築部材情報・建築物情報検索部
３２  表示画面構成イメージ作成部
３３  建築部材情報・建築物情報表示部
【図１】
2007086836.tif 000003
【図２】
2007086836.tif 000004
【図３】
2007086836.tif 000005
【図４】
2007086836.tif 000006
【図５】
2007086836.tif 000007
【図６】
2007086836.tif 000008